(57)【要約】【課題】１本の帯に複数の柄を有し、着用場面に応じて目的の柄を選択して、使用することができる帯を提供する。【解決手段】帯１は、短手方向に折り曲げて使用する帯であって、短手方向の長さを等分する、長手方向に延伸する第１境界線２及び２’を有する。短手方向に延伸する第２境界線３で区切られる複数の領域内にそれぞれ異なる面を有し、それらの領域内に複数の柄を配している。また、帯１は、前記第１境界線２及び２’に沿って、折り曲げて重合することができる。【選択図】図２
0003234516.tif 000002
【実用新案登録請求の範囲】
【請求項１】
短手方向に折り曲げて使用する帯であって、
短手方向の長さを等分する、長手方向に延伸する少なくとも１本の第１境界線、及び、長手方向の長さを二等分する、短手方向に延伸する第２境界線で区切られる複数の領域内の柄がそれぞれ異なる面を有し、
前記第１境界線で折り曲げ可能であることを特徴とする帯。
【請求項２】
前記第１境界線が２本であり、前記第１境界線及び前記第２境界線で６つの領域に区切られてなる請求項１に記載の帯。
【請求項３】
全ての前記第１境界線に沿って折り曲げて重合した状態で胴部に巻着可能な厚さを有する請求項１又は２に記載の帯。
【考案の詳細な説明】
【技術分野】
【０００１】
本考案は、着物や浴衣等に使用される帯に関する。より詳細には本考案は、複数の柄を有し、着用場面に応じて目的の柄を選択して使用することができる帯に関するものである。
【背景技術】
【０００２】
帯は、着物や浴衣等を体に固定させる幅広で紐状の装身具であり、着用する着物や着用する場所などに応じて、帯を変更することが多い。
しかしながら、近年、着物を着用する機会が減っており、着物を個人で保有することが少なくなっている。それに伴い、帯を複数本保有することも少なくなっているのが現状である。
【０００３】
一方で、気軽に着物や帯を楽しみたいというニーズもあり、様々な帯が開発されてきた。その１つとして、１本の帯で２種類の色や柄を楽しむことができる帯である「腹合わせ帯」がある。この帯は、表裏使用可能であるため、表裏を異なる帯地で仕立てれば、１本の帯で２種類の柄を楽しむことが可能である。
さらに、１本の帯で複数の色や柄を楽しめる帯として、例えば、特許文献１には、長手方向の左右領域で異なる柄・模様を形成し、１本で、２種類の使い方ができる帯が開示されている。また、特許文献２には、全長方向の中央付近を境に、色彩または模様または色彩及び模様からなる意匠を両方向で違えることを特徴とする帯が開示されている。
【先行技術文献】
【特許文献】
【０００４】
【特許文献１】特開２０１０―１５６０６７号公報
【特許文献２】実用新案登録第３１２２３０７号公報
【考案の概要】
【考案が解決しようとする課題】
【０００５】
上述の通り、１本の帯から複数の柄を楽しむという帯自体は存在するが、従来の帯は、１本の帯から出現させる柄の種類は最大で２種類もしくは４種類しかないのが実情である。
【０００６】
かかる状況下、本考案は、１本の帯に複数の柄を有し、目的の柄を選択して、使用することができる帯を提供することを目的とする。
【課題を解決するための手段】
【０００７】
本考案者は、上記課題を解決すべく鋭意研究を重ねた結果、下記の考案が上記目的に合致することを見出し、本考案に至った。
【０００８】
すなわち、本考案の帯は、短手方向に折り曲げて使用する帯であって、短手方向の長さを等分する、長手方向に延伸する少なくとも１本の第１境界線、及び、長手方向の長さを二等分する、短手方向に延伸する第２境界線で区切られる複数の領域内の柄がそれぞれ異なる面を有し、前記第１境界線で折り曲げ可能であることを特徴とする。
このような構成によれば、長手方向に延伸する第１境界線に沿って、折り曲げることが可能となり、それにより、各境界線に囲まれた領域内にある、異なる柄の面を出現させることができる。
また、使用者は、季節、場所、着物の柄などの帯着用時の状況に合わせた柄を選択することができる。
【０００９】
また、本考案の帯は、第１境界線が２本であることが好ましい。このような構成によれば、第１境界線と第２境界線で区切られる領域が６つとなり、それぞれの領域内の柄を６種類設置することができる。
【００１０】
また、本考案の帯は、第１境界線に沿って折り曲げて重合した状態で胴部に巻着可能な厚さを有することが好ましい。このような構成によれば、帯地が重合されることにより、帯の硬さを保つことができ、巻着しやすい。また、重合することにより、着用時の型崩れのおそれがなく、使用性が向上する。
【考案の効果】
【００１１】
本考案によれば、１本の帯に複数の柄を有し、目的の柄を選択して、使用することができる帯が提供される。
【図面の簡単な説明】
【００１２】
【図１】本考案の実施形態に係る帯の概略を示す平面図である。
【図２】本考案の実施形態に係る帯の中央部の写真である。
【図３】本考案の実施形態に係る帯を折り曲げて重合した状態を示す側面写真である。
【図４】本考案の実施形態に係る帯の折り曲げ過程を示す写真であり、（ａ）は柄１６を折り曲げた状態、（ｂ）はさらに柄１４を折り曲げた状態、（ｃ）は柄１６と柄１４を折り曲げて重合した状態を示す。
【図５】本考案の実施形態に係る帯を実際に着用した際の写真であり、（ａ）は前面、（ｂ）は後面を示す。
【考案を実施するための形態】
【００１３】
以下、本考案について実施形態を示して詳細に説明するが、本考案は以下の実施形態に限定されるものではなく、本考案の要旨を逸脱しない範囲において任意に変更して実施できる。
【００１４】
図１は、本考案の実施形態に係る帯１の概略を示す平面図である。
図１の帯１は、短手方向の長さを等分する第１境界線２及び２’、及び長手方向の長さを二等分する第２境界線３を有する。また、第１境界線２及び２’と第２境界線３とで区切られる複数の領域内に柄１１〜１６を配する。図２には、実際に柄を配した実施形態に係る写真を示している。
【００１５】
第１境界線２及び２’と第２境界線３は、帯に配された異なる柄の境界となっており、境界線は縫い目のないフラットな構造である。縫い目のないフラットな構造によって、各境界線において、帯自体に凹凸がなく、帯を折り曲げて重合した状態で、巻着した際の不快感がない。
【００１６】
本実施形態に係る帯１は、長手方向の長さを４２０ｃｍ、短手方向の長さを３０ｃｍとしているが、帯１の大きさは任意であり、目的に応じて適宜変更可能である。例えば、本実施形態に係る帯１は、第１境界線２及び２’に沿って折り曲げた時に１０ｃｍの幅の帯を想定しているが、折り曲げた際の幅を大きくし、短手方向の長さを長く設計しても良い。
また、本実施形態に係る帯１は、男性用の角帯であるが、折り曲げて重合した状態で巻着可能であれば、角帯に限定されない。
【００１７】
図２は、６種類の異なる柄を配した状態を示す帯１の中央部の写真である。
図２の帯１は、異なる柄１１〜１６を配しているが、色や柄については特に限定されず、柄の配置についても特に限定されない。例えば、伝統的な柄、モダンな柄、無地などがあり、全て無地で異なる色にすることや全て異なる柄地にすることも可能である。
【００１８】
また、本実施形態では、帯地に博多織を使用しているが、帯地の種類は特に限定されない。例えば、小倉織、西陣織などの伝統的な織物、その他の繊維生地が挙げられる。
【００１９】
さらに、本実施形態に係る帯１は、２本の第１境界線２及び２’を有しており、着用時は、３つ折りにし、重合するが、第１境界線に沿って折り曲げて重合した状態で、胴部に巻着可能であれば、第１境界線の本数は特に限定されない。例えば、第１境界線を３本にした場合は、第１境界線と第２境界線から区切られる領域に、異なる８種類の柄を有することになる。
【００２０】
本実施形態に係る帯１は、厚さを０．６ｍｍとしているが、第１境界線２及び２’に沿って折り曲げ可能であれば、特に限定されない。
【００２１】
図３は、帯１を折り曲げて重合した状態を示す側面写真である。
図３の帯１では、第１境界線２及び２’に沿って、折り曲げて重合した際に柄１４が上方に出ているが、折り曲げて重合する順番や向きを変更するだけで、いずれの面でも上方に出すことができる。
【００２２】
また、図３の帯１では、折り曲げて重合した状態の厚さを１．８ｍｍとしているが、帯１を巻着可能であれば、特に限定されない。
【００２３】
以下、本考案の実施形態に係る帯１の使用方法の例について説明する。
【００２４】
図４は、本考案の実施形態に係る帯１の折り曲げ過程を示す写真である。
使用者は、帯１を第１境界線２’に沿って折り曲げ、柄１６を内側に折り込む（図４（ａ））。同様に帯１を第１境界線２に沿って折り曲げ、柄１４を内側に折り込む（図４（ｂ））。そして、内側に折り込んだ柄１６の上方に、柄１４を重合させる（図４（ｃ））。
【００２５】
本実施形態に係る帯１では、折り曲げて重合した状態（図４（ｃ））の場合、短手方向の長さは１０ｃｍ程度、厚さは１．８ｍｍとなり、胴部に巻着可能となる。
【００２６】
図５は、帯１を実際に着用した際の写真である。
図５に示す写真のように、柄１４を表に使用する場合について説明する。
【００２７】
通常、帯を着用する際は、胴部に帯を３周程度巻くことが多い。そのような巻き方をすることによって、１周目の帯部（柄）は、その後に巻かれる２または３周目の帯部（柄）に覆われるため表に現れることはない。
【００２８】
本実施形態に係る帯１の柄１４を表に出現させるために、第２境界線３に対して、柄１４と反対側に配された柄１１を巻き始めとしている。帯１を常法に従って、巻着させることにより、柄１４を表に出現させることができる。
さらに、重合した状態において、柄１１の裏側にあたる柄１３が手先Ａとして現れ、また、柄１４が垂れ先Ｂとして現れる。
これにより、結び目部において、異なる柄が組み合わされ、意匠性が向上する。
図５において、貝の口結びの結び目部（図５（ｂ））を示しているが、結び目部の形状については、片ばさみ、浪人結び、神田結びなど、どのような結び目でも実施可能である。結び目を変更することで、柄の現れ方も変わるため、より帯の着用を楽しむことができる。
【００２９】
以上、図面を参照して本考案の実施形態について述べたが、今回開示された実施形態はすべての点で例示であって制限的なものではなく、いろいろな変形例が可能なこと、また、そうした変形例も本考案の範囲にあることは当業者に理解されるところである。また、今回開示された実施形態において、明示的に開示されていない事項は、例えば、寸法、重量などは、当業者が通常実施する範囲を逸脱するものではなく、通常の当業者であれば、容易に想定することが可能な値を想定している。
【００３０】
例えば、上記帯１は、折り曲げて重合した際の帯１の短手方向の幅を１０ｃｍ程度としているが、折り曲げて重合した際の帯幅を、帯の種類に適した帯幅にすることができ、種類に応じて、任意に変更可能である。
【００３１】
また、上記帯１の帯地は、博多織で織られているが、帯地の種類はこれに限定されない。本考案の柄１１〜１６は、第１境界線２及び２’と第２境界線３に区切られる領域内に配されているが、配置場所、柄の種類は任意に変更可能である。
【００３２】
また、上記帯１は、第１境界線２及び２’に沿って折り曲げて重合することができる。重合した状態の帯は、一定の厚さと硬さを有するため、胴部に巻着可能である。
【産業上の利用可能性】
【００３３】
本考案によれば、１本の帯に複数の柄を有しており、季節、場所、着物の柄などの着用時の状況に合わせた柄を選択することができる帯が提供されるため、産業上有望である。
【符号の説明】
【００３４】
１        帯
２、２’  第１境界線
３        第２境界線
１１      柄
１２      柄
１３      柄
１４      柄
１５      柄
１６      柄
Ａ        手先
Ｂ        垂れ先
【図１】
0003234516.tif 000003
【図２】
0003234516.tif 000004
【図３】
0003234516.tif 000005
【図４】
0003234516.tif 000006
【図５】
0003234516.tif 000007